(57)【要約】【課題】ＤＤＲＳＤＲＡＭの動作クロックに起因するノイズの発生を低減するテレビジョン受像機を提供する。【解決手段】ＤＤＲＳＤＲＡＭを備えるテレビジョン受像機において、選局チャンネルが含まれる帯域を特定するための基準周波数を用いて、テレビジョン放送信号から選局チャンネルに対応する信号を抽出するチャンネル抽出手段と、選局チャンネルに対応する前記基準周波数が前記ＤＤＲＳＤＲＡＭの動作クロックの偏倍となる場合は、前記チャンネル抽出手段が用いる基準周波数をシフトさせる周波数変更手段と、を有する。【選択図】図３
2012044313.tif 000002
【特許請求の範囲】
【請求項１】
ＤＤＲＳＤＲＡＭを備えるテレビジョン受像機において、
各チャンネルが含まれる帯域を特定するための基準周波数を用いて、テレビジョン放送信号から選局チャンネルに対応する信号を抽出するチャンネル抽出手段と、
選局チャンネルに対応する前記基準周波数が前記ＤＤＲＳＤＲＡＭの動作クロックの偏倍となる場合は、前記チャンネル抽出手段が用いる基準周波数をシフトさせる周波数変更手段と、を有することを特徴とするテレビジョン受像機。
【請求項２】
前記基準周波数をチャンネル毎に記録する基準周波数記録手段を有することを特徴とする請求項１に記載のテレビジョン受像機。
【請求項３】
前記周波数変更手段は、前記基準周波数をシフトさせて抽出した信号の状況を判断し、前記状況に応じて前記基準周波数のシフト量を変化させることを特徴とする請求項１又は請求項２に記載のテレビジョン受像機。
【請求項４】
前記テレビジョン放送信号は、アナログ放送であって、
前記周波数変更手段は、前記信号のＳ／Ｎ比をもとに前記状況を判断することを特徴とする請求項３に記載のテレビジョン受像機。
【請求項５】
前記テレビジョン放送信号は、デジタル放送であって、
前記周波数変更手段は、前記信号のエラーレートをもとに前記状況を判断することを特徴とする請求項４に記載のテレビジョン受像機。
【請求項６】
前記基準周波数をチャンネル毎に記録する基準周波数記録手段を有し、
前記テレビジョン放送信号は、デジタル放送であって、
前記周波数変更手段は、前記信号のエラーレートをもとに前記状況を判断することを特徴とする請求項１に記載のテレビジョン受像機。
【発明の詳細な説明】
【技術分野】
【０００１】
本発明は、テレビジョン受像機に関し、特にＤＤＲＳＤＲＡＭを備えるテレビジョン受像機に関する。
【背景技術】
【０００２】
近年、テレビジョン受像機は、ＣＰＵ等の演算部を備えており、この演算部の統合的な制御により映像出力に係る多数の処理を実行する。上記した演算部はメモリに記録されたプログラムをＲＡＭ等のワークエリアに展開場所したり、プログラムにより処理された中間値やデーターをワークエリアに一時記に記録して処理を実行する。
【０００３】
上記したワークエリアを演算部に提供するために、ＤＤＲＳＤＲＡＭ（Double Data Rate  Synchronous Dynamic Random-Access Memory）を備えるテレビジョン受像機も知られている。ＤＤＲＳＤＲＡＭは、動作クロックの立ち上がりと立ち下がりの両方のタイミングでデーターにアクセスすることができるため、ＤＤＲＳＤＲＡＭを用いる装置においては、データーのアクセス速度を速くし、処理を迅速に行なうことが可能となる（例えば、特許文献１−４参照。）。
【先行技術文献】
【特許文献】
【０００４】
【特許文献１】特開２００９−２００９１７号公報
【特許文献２】特開２００７−３１８４４６号公報
【特許文献３】特開２００７−１５８６３３号公報
【特許文献４】特開平１０−２９４６７２号公報
【発明の開示】
【発明が解決しようとする課題】
【０００５】
上記したＤＤＲＳＤＲＡＭは、動作クロックの立ち上がりと立下り両タイミングにおけるアクセスに加えて、動作クロックを高速化することで、アクセス速度を高めるものも存在する。動作クロックが高速化する場合、テレビジョン受像機が利用する他の高周波と干渉を起こす場合がある。具体的には、テレビジョン受像機は選局チャンネルを出力するために、チューナー部が基準周波数を用いて選局チャンネルが含まれる帯域を特定するが、この基準周波数と上記動作クロックとが干渉を起こすと、抽出された選局チャンネルに係る信号にノイズを発生させる場合があった。例えば、このノイズにより画面上にビード状のノイズが発生し、画質を低下させる場合もあった。
【０００６】
本発明は、上記課題にかんがみてなされたもので、ＤＤＲＳＤＲＡＭの動作クロックに起因するノイズの発生を低減するテレビジョン受像機の提供を目的とする。
【課題を解決するための手段】
【０００７】
上記課題を解決するために、本発明では、ＤＤＲＳＤＲＡＭを備えるテレビジョン受像機において、選局チャンネルが含まれる帯域を特定するための基準周波数を用いて、テレビジョン放送信号から選局チャンネルに対応する信号を抽出するチャンネル抽出手段と、選局チャンネルに対応する前記基準周波数が前記ＤＤＲＳＤＲＡＭの動作クロックの偏倍となる場合は、前記チャンネル抽出手段が用いる基準周波数をシフトさせる周波数変更手段と、を有する構成としてある。
【０００８】
上記のように構成された発明では、所望のチャンネルを選局する際、チャンネル抽出手段は、受信チャンネルが含まれる帯域を特定するための基準周波数を用いて、テレビジョン放送信号から選局チャンネルに対応する信号を抽出する。このとき、選局チャンネルに対応する前記基準周波数が前記ＤＤＲＳＤＲＡＭの動作クロックの偏倍となる場合は、周波数変更手段は、基準周波数をシフトさせてチャンネル抽出手段に選局チャンネルに係る信号を抽出させる。
そのため、基準周波数が動作クロックの偏倍となるのを防止し、抽出された信号にノイズが発生するのを抑制することが可能となる。
【０００９】
ここで、動作クロックの偏倍とは、必ずしも動作クロックの倍数となる周波数を意味するのではなく、動作クロックの偏倍付近を含めた広い概念である。
また、基準周波数をシフトさせるとは、変更後の基準周波数によっても選局チャンネルに係る信号が含まれる帯域を特定できる範囲で周波数をずらすことを意味する。
【００１０】
また、周波数変更手段が選局チャンネルの基準周波数を事前に判断するための好適な一例として、前記基準周波数をチャンネル毎に記録する基準周波数記録手段を有する構成としてもよい。
【００１１】
さらに、テレビジョン放送信号に含まれるチャンネル等の数が多く、基準周波数により各チャンネル等の帯域が細かく指定されている場合、基準周波数のシフト量によっては、抽出した信号の状況が悪くなる場合も考えられる。そのため、前記周波数変更手段は、前記基準周波数をシフトさせて抽出した信号の状況を判断し、前記状況に応じて前記基準周波数のシフト量を変化させる構成としてもよい。
上記のように構成された発明では、受信状態が悪い場合は、基準周波数のシフト量を少なくして、ノイズの発生と抽出した信号の状況とのバランスを取ることが可能となる。
【００１２】
そして、周波数変更手段がチャンネル信号の状況を判断する好適な一例として、前記テレビジョン放送信号は、アナログ放送であって、前記周波数変更手段は、前記信号のＳ／Ｎ比をもとに前記状況を判断する構成としてもよい。
【００１３】
さらに、周波数変更手段がチャンネル信号の状況を判断する好適な他の一例として、前記テレビジョン放送信号は、デジタル放送であって、前記周波数変更手段は、前記信号のエラーレートをもとに前記状況を判断する構成としてもよい。
【００１４】
そして、本発明の一実施形態として、前記基準周波数をチャンネル毎に記録する基準周波数記録手段を有し、前記テレビジョン放送信号は、デジタル放送であって、前記周波数変更手段は、前記信号のエラーレートをもとに前記状況を判断する構成としてもよい。
【発明の効果】
【００１５】
以上説明したように、本発明によれは、ＤＤＲＳＤＲＡＭの動作クロックに起因するノイズの発生を低減することができる。
【図面の簡単な説明】
【００１６】
【図１】テレビジョン受像機１０の構成を説明するためのブロック構成図である。
【図２】チューナー２０により抽出されたチャンネル信号を説明するための図である。
【図３】テレビジョン受像機１０により実行されるチャンネル受信処理を説明するフローチャートである。
【図４】第２の実施形態に係るメインコントローラー３０により実行されるチャンネル受信処理を説明するフローチャートである。
【発明を実施するための形態】
【００１７】
以下、下記の順序に従って本発明の実施形態を説明する。
１．第１の実施形態：
１．１．テレビジョン受像機の構成：
１．２．チャンネル受信時の処理：
２．第２の実施形態：
３．その他の実施形態：
【００１８】
１．第１の実施形態： 
１．１．テレビジョン受像機の構成：
以下、図を参照して、この発明に係るテレビジョン受像機を具体化した第１の実施の形態について説明する。図１は、テレビジョン受像機１０の構成を説明するためのブロック構成図である。
【００１９】
テレビジョン受像機１０は、図示しないアンテナと接続され、このアンテナが受信したテレビジョン放送信号から、選局したチャンネルに係る信号（チャンネル信号ともいう。）をチューナー２０により抽出する。抽出されたチャンネル信号は、後段のバックエンド部７０により所定の映像データーに変換され、パネル８０により映像として出力される。ここで、本実施形態では、テレビジョン受像機１０が受信するテレビジョン放送信号として、ＰＡＬ（Phase Alternation by Line）方式のアナログ放送信号をもとに説明を行うが、テレビジョン放送信号としてはこれに限定される訳ではない。
【００２０】
チューナー（チャンネル抽出手段）２０は、アンテナが受信したテレビジョン放送信号から所望のチャンネル信号を同調して抽出するバンドパスフィルターや、抽出されたチャンネル信号の利得を増幅するＡＭＰ、更にはチャンネル信号をデジタル信号に変換するＡ・Ｄ（アナログ・デジタル）変換部を備えている。また、バンドパスフィルターは、後述するメインコントローラー３０から指定される基準周波数ｆにより、選局チャンネルが含まれる帯域の周波数付近で平坦な振幅特性となるようチャンネル信号を抽出する。
【００２１】
ＥＥＰＲＯＭ６０は、テレビジョン受像機１０が受信する各チャンネルと、チャンネルを抽出するための基準周波数ｆと対応付けて記録したチャンネルマップＣＭが記録されている。そのため、メインコントローラー３０は、選局チャンネルに応じてチャンネルマップＣＭを参照しつつチューナー２０に指定する基準周波数ｆを選択する。また、チャンネルマップに記録される各チャンネルの基準周波数ｆは、オートプリセット等の周知のチャンネル設定処理により更新されるものである。以上によりＥＥＰＲＯＭ６０は、本発明の基準周波数記録手段を実現する。
【００２２】
ＤＤＲＳＤＲＡＭ５０は、メモリコントローラー４０を介してバスに接続され、テレビジョン受像機１０を構成する各部のワークエリアとして作用する。例えば、ＤＤＲＳＤＲＡＭ５０は、チューナー２０により抽出されたチャンネル信号や、バックエンド部７０により変換された映像データーを一時的に記録するバッファーとしても機能する。メモリコントローラー４０はバスを介してＤＤＲＳＤＲＡＭに接続されており、ＤＤＲＳＤＲＡＭに対するアクセスは、所定周期の動作クロックの立ち上がり及び立ち下がりに同期して実行される。
【００２３】
メインコントローラー３０は、ＣＰＵや、このＣＰＵが実行するプログラムが記録されたＲＯＭを備え、テレビジョン受像機１０を統合的に制御する。メインコントローラー３０は、ＲＯＭに記録されたプログラムを実行することで、上記したオートプリセットの実行や、選局チャンネルに対応した基準周波数ｆをチューナー２０に指定する処理（チャンネル受信処理ともいう）を実行する。
【００２４】
また、本実施形態に係るチャンネル受信処理では、選局チャンネルの基準周波数ｆとＤＤＲＳＤＲＡＭ５０の動作クロックを比較し、比較結果に応じて基準周波数ｆの周波数を変更することでノイズの発生を低減する。上記機能を実現するために、メインコントローラー３０は、ＲＯＭに記録されたプログラムを実行することにより、周波数比較モジュールＭ１と、周波数変更モジュールＭ２と、周波数指示モジュールＭ３の各機能を実現する。
【００２５】
周波数比較モジュールＭ１は、選局チャンネルの基準周波数ｆをＥＥＰＲＯＭ６０に記録されたチャンネルマップＣＭから参照し、この基準周波数ｆがＤＤＲＳＤＲＡＭに対する動作クロックの偏倍となるか否かを比較する。ここで、動作クロックの偏倍とは、必ずしも動作クロックの倍数となる周波数を意味するのではなく、動作クロックの偏倍付近を含めた広い概念である。なお、動作クロックの値は事前に比較用パラメーターとして設定しておくものとする。
【００２６】
周波数変更モジュール（周波数変更手段）Ｍ２は、周波数比較モジュールＭ１による比較結果に応じて基準周波数ｆの周波数をシフトする。図２は、チューナー２０により抽出されたチャンネル信号を説明するための図である。図２に示すように、チャンネル信号は映像信号と音声信号を含んで構成され、例えば、映像信号と音声信号との間は５〜６ＭＨｚ離れている。また、基準周波数ｆは、映像信号が含まれる帯域の中心部を指定する周波数であり、チューナー２０はこの基準周波数ｆをもとに選局チャンネルが含まれる帯域を特定する。ここで、周波数変更モジュールＭ２が基準周波数ｆをシフトさせる手法としては、基準周波数ｆを動作クロックから離れる方向に数百ｋＨｚシフトさせることが望ましい。上記範囲であるならば、変更後の基準周波数ｆにおいてもチューナー２０は選局チャンネルのチャンネル信号が含まれる帯域を特定することが可能である。
【００２７】
周波数指示モジュールＭ３は、チャンネルマップＣＭを参照して基準周波数ｆをチューナー２０に指示する。ここで、周波数指示モジュールＭ３により指示される基準周波数ｆは、周波数変更モジュールＭ２により変更されたものを含む。即ち、基準周波数ｆをシフトしない場合はチャンネルマップＣＭに記録された選局チャンネルに対応する周波数が基準周波数ｆとなり、基準周波数ｆをシフトさせた場合はシフト後の周波数が選局チャンネルの基準周波数ｆとなる。
【００２８】
バックエンド部７０は、チューナー２０により抽出されたチャンネル信号を、パネル８０の解像度に応じて画素数変換したり、画質を調整するための画像処理を実行する。本実施形態では、パネル８０は、液晶パネルやプラズマディスプレイパネルであり、解像度に応じて縦横に配列した画素により画面を構成する。パネル８０に入力した映像データーは、図示しないドライバーにより上記各画素を駆動するための駆動電圧にデジタル・アナログ変換される。
【００２９】
１．２．チャンネル受信時の処理：
以下に、本実施形態に係るテレビジョン受像機１０におけるチャンネル受信処理を説明する。図３は、テレビジョン受像機１０により実行されるチャンネル受信処理を説明するフローチャートである。
【００３０】
ユーザーが図示しないリモコン装置を操作して任意のチャンネルを選局すると、メインコントローラー３０は、リモコン装置を通じて選局チャンネルの指示を受付ける（ステップＳ１）。
【００３１】
ステップＳ２では、周波数比較モジュールＭ１は、選局チャンネルに対応した基準周波数ｆをチャンネルマップＣＭから参照し、ＤＤＲＳＤＲＡＭ５０の動作クロックと比較する。例えば、選局チャンネルが８ｃｈである場合、周波数比較モジュールＭ１はチャンネルマップに記録された８ｃｈに対応する基準周波数ｆ（例えば、１９６．２５ＭＨｚ）を参照する。そして、周波数比較モジュールＭ１は、参照した基準周波数ｆがＤＤＲＳＤＲＡＭ５０の動作クロック（例えば２００ＭＨｚ）と比較し、両者が偏倍の関係にあるか否かを判断する。
【００３２】
ステップＳ２おける比較において、基準周波数ｆが動作クロックの偏倍付近である場合は（ステップＳ３：ＹＥＳ）、ステップＳ４では、周波数変更モジュールＭ２はチューナー２０に指示する基準周波数ｆを数百ｋＨｚほどシフトする。周波数が変更される上記の例では、動作クロックが２００ＭＨｚであるのに対して、選局チャンネルの基準周波数ｆが１９６．２５ＭＨｚとなるため、基準周波数ｆは動作クロックのおよそ１倍に相当する。そのため、周波数変更モジュールＭ２は、チューナー２０に指示する基準周波数ｆを２５０ｋＨｚほどシフトさせ、動作クロック（２００ＭＨｚ）から遠ざける（１９６．００ＭＨｚ）。
【００３３】
一方、ステップＳ２における比較において、選局チャンネルの基準周波数ｆが動作クロックの偏倍付近に相当しない場合は（ステップＳ３：ＮＯ）、選局チャンネルの基準周波数ｆを変更することなくチューナー２０に指示を行う。その後、ステップＳ５では、周波数指示モジュールＭ３は、チューナー２０に基準周波数ｆを指示する。
【００３４】
そのため、ステップＳ６では、チューナー２０はメインコントローラー３０により指示された基準周波数ｆをもとに特定した帯域に含まれるチャンネル信号を抽出する。以後、チューナー２０は、周波数変調後の基準周波数ｆにより選局チャンネルの受信を維持する。
【００３５】
以上説明したように、本実施形態に係るテレビジョン受像機１０では、選局に用いられる基準周波数ｆはＤＤＲＳＤＲＡＭ５０の動作クロックと偏倍の関係とならないため、抽出されたチャンネル信号から生成する映像データーに対してノイズの影響を低減することが可能となる。また、ＤＤＲＳＤＲＡＭ５０の動作クロックを変更すると、ＤＤＲＳＤＲＡＭ５０へのアクセスに支障をきたすことも想定されるが、チャンネル信号が含まれる帯域はある程度の幅があるため、基準周波数ｆを数１００ｋＨｚ変更しても受信チャンネルに影響を与える可能性は低い。そのため、動作クロックを変更する場合に比べて安定的にノイズを低減することができる。また、基準周波数ｆの変更はプログラム等を用いて簡易に実行することが可能である。
【００３６】
２．第２の実施形態：
上記した第１の実施形態では、ＰＡＬ方式等のアナログ放送を受信する場合を想定したが、デジタル放送を受信する場合にも本発明を適用することができる。
ここで、デジタル放送では、放送信号に含まれるチャンネル数が多く、基準周波数ｆにより各チャンネルの帯域が細かく指定されている。又、チャンネル信号が含まれる帯域幅もアナログ放送と比べて広くなる。そのため、基準周波数ｆのシフト量によっては、抽出した信号の状況が悪くなる場合も考えられる。ここで、信号の状態とは、例えばエラーレートにより評価される信号の状態を意味する。そのため、第２の実施形態では、基準周波数ｆをシフトさせて抽出した信号の状況を判断し、この状況に応じて前記基準周波数ｆのシフト量を変化させる構成としてもよい。
【００３７】
上記のように構成することで、デジタル放送においても、抽出した信号の状態が悪い場合は、基準周波数ｆの変更量を少なくすることで、ノイズの発生と抽出した信号の状況とのバランスを取ることが可能となる。
【００３８】
図４は、第２の実施形態に係るメインコントローラー３０により実行されるチャンネル受信処理を説明するフローチャートである。以下、図４を参照して第２の実施形態に係るチャンネル受信処理を説明する。
【００３９】
ユーザーがリモコン装置等を操作して任意のチャンネルを選局すると、メインコントローラー３０は、リモコン装置を介した選局を受付ける（ステップＳ１１）。ステップＳ１２では、周波数比較モジュールＭ１は、選局されたチャンネルに対応した基準周波数ｆをチャンネルマップＣＭから参照し、ＤＤＲＳＤＲＡＭ５０の動作クロックと比較する。
【００４０】
基準周波数ｆが動作クロックの偏倍付近である場合は（ステップＳ１３：ＹＥＳ）、ステップＳ１４では、周波数変更モジュールＭ２はチューナー２０に指示する基準周波数ｆを数百ｋＨｚほどシフトする。そして、ステップＳ１５では、周波数指示モジュールＭ３は、変更後の基準周波数ｆをチューナー２０に指示する。一方、選局チャンネルの基準周波数ｆが動作クロックの偏倍付近に相当しない場合は（ステップＳ１３：ＮＯ）、ステップＳ１５では、周波数指示モジュールＭ３は、選局チャンネルの基準周波数ｆを変更することなくチューナー２０に指示を行う。そのため、ステップＳ１６では、チューナー２０は指定された基準周波数ｆをもとにチャンネル信号が含まれる帯域を特定し、チャンネル信号を抽出する。
【００４１】
ステップＳ１７では、周波数変更モジュールＭ２は、抽出されたチャンネル信号のエラーレートを検出する。エラーレートの検出方法としては、周知の技術を用いればよく、ここでは説明を省略する。
【００４２】
ステップＳ１８では、ステップＳ１６で検出したエラーレートが閾値Ｔ以上である場合（ステップＳ１８：ＮＯ）、周波数変更モジュールＭ２はチャンネル信号の状況が悪いと判断し、基準周波数ｆのシフト量を変更する（ステップＳ１９）。例えば、ステップＳ１４における基準周波数ｆのシフト量と比較してシフト量を少なくする。ここで、閾値Ｔは、チャンネル信号の状況を判断するためのパラメーターとして用いられる値であり、テレビジョン受像機の特性等に応じて個別に設定される値である。
【００４３】
その後、ステップＳ１４に戻り、周波数変更モジュールＭ２は、ステップＳ１９により指定されたシフト量により基準周波数ｆをシフトする。そして、周波数変更モジュールＭ２は、ステップＳ１５、Ｓ１６の処理を繰り返し、チャンネル信号のエラーレートが閾値Ｔ以下となった場合（ステップＳ１７：ＹＥＳ）、このときの基準周波数ｆの値を最適な値として判断する。以後、チューナー２０は周波数変調後の基準周波数ｆにより選局チャンネルの受信を維持する。そのため、映像に生じるノイズの低減と選局後の信号の状況とのバランスを取った最適な基準周波数ｆを選択することができる。以上、第２の実施形態を説明した。
【００４４】
３．その他の実施形態：
本発明は様々な実施形態が存在する。
第２の実施形態に係る処理は、デジタル放送を受信する場合に限定されない。即ち、アナログ放送を受信する場合においては、ステップＳ１７におけるチャンネル信号の状況をＳ／Ｎ（Signal to Noise ratio）比をもとに判断する構成としてもよい。
【００４５】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００４６】
１０…テレビジョン受像機、２０…チューナー、３０…メインコントローラー、４０…メモリコントローラー、５０…ＤＤＲＳＤＲＡＭ、６０…ＥＥＰＲＯＭ、７０…バックエンド部、８０…パネル、Ｍ１…周波数比較モジュール、Ｍ２…周波数変更モジュール、Ｍ３…周波数指示モジュール
【図１】
2012044313.tif 000003
【図２】
2012044313.tif 000004
【図３】
2012044313.tif 000005
【図４】
2012044313.tif 000006